(57)【要約】【課題】  解決しようとする課題は、表裏一体型バックライトにおいては面内の照明光出力が不均一になってしまうという点であり、それを避けようとすると照明光の光利用効率が低下してしまうという問題である。【解決手段】  １枚の導光板に入射された光によって両面に置かれた第１と第２の液晶表示パネルの双方を照明する表裏一体型のバックライトにおいて、該バックライトの前記第１の液晶表示パネル側に偏光選択性シートを設け、前記第２の液晶表示パネル側に拡散シートを設け、該偏光選択性シートもしくは拡散シートの外側に光吸収シートを設けた。  さらに、前記第１と第２の液晶表示パネルの表示部は表示面積が異なり、前記光吸収シートは表示面積が小さい液晶表示パネル側に設けられ、該光吸収シートに該表示面積が小さい液晶表示パネルの表示部に対応した開口部を設けた。【選択図】        図１
2006323315.tif 000002
【特許請求の範囲】
【請求項１】
１枚の導光板に入射された光によって両面に置かれた第１と第２の液晶表示パネルの双方を照明する表裏一体型バックライトにおいて、
該バックライトの前記第１の液晶表示パネル側に偏光選択性シートを設け、前記第２の液晶表示パネル側に拡散シートを設け、該偏光選択性シートもしくは拡散シートの外側に光吸収シートを設けたことを特徴とする表裏一体型バックライト。
【請求項２】
前記偏光選択性シートと前記導光板との間に輝度上昇フィルムを配置したことを特徴とする請求項１記載の表裏一体型バックライト。
【請求項３】
前記偏光選択性シートと前記液晶表示パネルとの間に輝度上昇フィルムを配置したことを特徴とする請求項１記載の表裏一体型バックライト。
【請求項４】
前記第１と第２の液晶表示パネルの表示部は表示面積が異なり、前記光吸収シートは表示面積が小さい液晶表示パネル側に設けられ、該光吸収シートに該表示面積が小さい液晶表示パネルの表示部に対応した開口部が設けられていることを特徴とする請求項１〜３のうちの一項に記載の表裏一体型バックライト。
【請求項５】
前記導光板と前記光吸収シートとの間に、前記光吸収シートの開口部とほぼ同等の大きさの輝度上昇フィルムを配置したことを特徴とする請求項１〜４のうちの一項に記載の表裏一体型バックライト。
【請求項６】
前記輝度上昇フィルムは微少光学エレメントが複数配列されたシートであることを特徴とする請求項１〜５のうちの一項に記載の表裏一体型バックライト。
【請求項７】
前記光学エレメントは微少プリズムが複数配置されたシートであることを特徴とする請求項６記載の表裏一体型バックライト。
【請求項８】
前記光吸収シートと前記液晶パネルとの間に、前記光吸収シートの開口部とほぼ同等の大きさの輝度上昇フィルムを配置したことを特徴とする請求項１〜８のうちの一項に記載の表裏一体型バックライト。 
【請求項９】
１枚の導光板に入射された光によって両面に置かれた第１と第２の液晶表示パネルの表示部は表示面積が異なる液晶表示パネルの双方を照明する表裏一体型バックライトにおいて、該バックライトの前記第１、第２の液晶表示パネル側に少なくとも前記１枚の導光板と同程度の大きさの偏光選択性シートを設け、該偏光選択性シートより内側の前記導光板側で、前記第１と第２の液晶表示パネルの少なくとも一方に拡散シートを設け、該偏光選択性シートの外側に光吸収シートを設けたことを特徴とする表裏一体型バックライト。
【請求項１０】
前記両偏光選択性シートと前記導光板との間の少なくとも一方に輝度上昇フィルムを配置したことを特徴とする請求項９記載の表裏一体型バックライト。
【請求項１１】
前記両偏光選択性シートと前記第１と第２の液晶表示パネルとの間の少なくとも一方に輝度上昇フィルムを配置したことを特徴とする請求項９記載の表裏一体型バックライト。  
【請求項１２】
前記第１と第２の液晶表示パネルの表示部は表示面積が異なり、前記光吸収シートは表示面積が小さい液晶表示パネル側に設けられ、該光吸収シートに該表示面積が小さい液晶表示パネルの表示部に対応した開口部が設けられていることを特徴とする請求項９，１０，１１記載の表裏一体型バックライト。
【発明の詳細な説明】
【技術分野】
【０００１】
本発明は両面に設けられた液晶表示装置を照明する表裏一体型バックライトに関する。
【背景技術】
【０００２】
液晶表示装置は液晶が自発光体でないため、バックライトと呼ばれる光源が必要であった。かつ現在主流となっている折りたたみ式携帯電話は、表面と裏面の各々に液晶表示装置を設けているため、それぞれの液晶表示装置を照明するため２組のバックライトを必要としていた。
【０００３】
しかしながら携帯電話の厚みの制約は大きく、バックライトを２組設けると要求されるスペース内に配置することは非常に困難であった。また液晶表示装置毎に別々にバックライトを備えると光源及び導光板も２組設ける必要がありコスト的にも不利であるという問題もあった。
【０００４】
また１つのバックライトの１枚の導光板を用いて表裏双方の面に設けられた液晶表示装置を照明する技術も種々提案されているが、一方の面への照明光の出力が他方の面に影響を及ぼすため、表裏のバランスをとることが難しく、面内の照明光出力が不均一になってしまうという問題もあった。
この問題を避けるためには濃い拡散シートを用いることが必要となり、その結果照明光の光利用効率が低下してしまうという問題もあった。
【０００５】
バックライトの光利用効率を効率を向上させるため、表裏一体型バックライトの液晶パネルと導光板間に互いに偏光選択性が異なる偏光選択反射層（偏光選択性シートと同義）を形成し、一方の偏光選択反射層で反射した偏光が他方の液晶パネルを透過することを可能にするというという提案がある（例えば特許文献１参照）。
【０００６】
この先行技術を説明するため、図７で偏光選択性シートの説明を行う。
図７において（ａ）は従来の液晶表示パネルと導光板から出射される照明光との関係、（ｂ）は液晶表示パネルと導光板との間に偏光選択性シートを設けた場合の上記関係を示した図である。
図７（ａ）に示すように、従来は導光板１０からＰ波５６とＳ波５８が液晶表示パネル２５方向に出射されるが液晶表示パネル２５の下側偏光板５４が吸収型であるため、例えばＳ波は吸収されてＰ波のみが液晶層を保持する部分５０を照明し、液晶表示パネル２５の白表示部分からＰ波６０が透過する。
【０００７】
図７（ｂ）においては液晶表示パネル２５と導光板１０との間に偏光選択性シート２０が設けられている。偏光選択性シート２０を例えばＳ波は反射されてＰ波は透過するタイプとすると、導光板１０から出射されたＰ波５６とＳ波５８は、Ｐ波５６のみが偏光選択性シート２０を透過し、Ｓ波５８は反射されて導光板１０に戻るＳ波６２となる。偏光選択性シート２０を透過したＰ波５６は図７（ａ）の場合と同様液晶表示パネル２５の白表示部分から透過するＰ波６０となる。
導光板１０に戻されたＳ波６２は導光板１０内でＰ波とＳ波とにリサイクルされて再びＰ波６４とＳ波６６となって偏光選択性シート２０方向に出射され、以下同様の動作を繰り返す。
【０００８】
このように液晶表示パネル２５の下側偏光板５４が吸収する偏光のタイプと、偏光選択性シート２０が反射する偏光のタイプとを一致させておけば、液晶表示パネルの下側偏光板における光吸収がなくなるため、光利用効率が大幅に上昇する。
【０００９】
また表裏一体型バックライトの場合は、導光板上面の液晶表示パネルの下側偏光板が吸収する偏光のタイプと導光板上面に設けられた偏光選択性シート２０が反射する偏光のタイプとを一致させ、導光板下面の液晶表示パネルの下側偏光板が吸収する偏光のタイプと導光板下面に設けられた偏光選択性シートが反射する偏光のタイプとを上面側と異なる選択性を有するものに設定すればよい。
【００１０】
このような偏光選択性シートは例えば住友スリーエム社からＤＢＥＦシリーズとして供給されている。
なお以下の図において、同様の部材には同様の番号を付している。
【００１１】
このように特許文献１で提案された技術によれば光利用効率を大幅に上昇させることが出来る。
しかし特許文献１の技術も携帯電話のような小型機器用の表裏一体型でかつ、表面の裏面とで液晶表示パネルの表示面積が異なる場合には問題を生じる。
第１の問題は表裏共に偏光選択性シートを用いることでコストが上昇してしまうことであり、第２の問題は大きな表示面積の側の液晶表示パネルに輝度ムラを生じてしまうことである。
【００１２】
図８を用いてこの輝度ムラ問題を説明する。
図８は表裏の双方に設けられた表示面積の小さい液晶表示パネル２６と表示面積の大きい液晶表示パネル２４とを、導光板１０の表と裏との双方に偏光選択性シート２０，２１が設けられた表裏一体型のバックライトで照明した場合の偏光の挙動を示した図である。
ここで、偏光選択性シート２０はＳ波を反射してＰ波を透過するタイプ、偏光選択性シート２１はＰ波を反射してＳ波を透過するタイプ、液晶表示パネル２６の導光板側偏光板（図示していない）はＳ波を吸収するタイプ、液晶表示パネル２４の導光板側偏光板（図示していない）はＰ波を吸収するタイプとしている。
すなわち図８は特許文献１で提案された技術を表裏の液晶表示パネルの表示面積が異なる場合に適用した例となっている。  
【００１３】
図８においては光源１２，導光板１０，偏光選択性シート２０，２１とがホルダー４０で保持され、表示面積の小さい液晶表示パネル２６はホルダーの開口部４１に、表示面積の大きい液晶表示パネル２４はホルダー４０の下方に配置されている。
図８において、導光板１０から上方に出射されたＰ波５６とＳ波５８は、Ｐ波５６のみが偏光選択性シート２０を透過し、Ｓ波５８は反射されて導光板１０に戻るＳ波６２となる。偏光選択性シート２０を透過したＰ波５６は液晶表示パネル２６の白表示部分から透過する。なお、偏光選択性シートで反射されたリサイクル光の挙動は省略している。導光板１０から下方に出射されたＳ波５７とＰ波５９は、Ｓ波５７のみが偏光選択性シート２１を透過し、Ｐ波５９は反射されて導光板１０に戻るＰ波６３となる。偏光選択性シート２１を透過したＳ波５７は液晶表示パネル２４の白表示部分から透過する。この部分は図７（ｂ）と同様である。
【００１４】
バックライト上方の液晶表示パネルがない部分に出射されたＰ波７２とＳ波７４は偏光選択性シート２０部では同様の挙動を示すが、偏光選択性シート２０を透過したＰ波７２はホルダー４０で反射してＰ波８０となり偏光選択性シート２０を透過して導光板１０に戻ってしまう。この反射したＰ波８０のため導光板１０の当該部分から下方に出射されるＳ波７３、Ｐ波７５は図示のように光量が増大し、Ｐ波７５は偏光選択性シート２１で反射されるが光量が増大したＳ波７３は液晶表示パネル２４の白表示部分から透過する。したがって上方の液晶表示パネルがない部分は他の部分に比べて明るく成ってしまう。
すなわち表示面積の大きい液晶表示パネル２４の表示領域中に表示面積の小さい液晶パネル２６の部分Ｓが影のようになって暗くなってしまい輝度ムラが生じてしまう。図６のようにホルダー４０を設けない場合も、周辺部材による光の反射で同様の状況を生じてしまう。
このような輝度ムラを解消するため、表示面積の大きい液晶パネル側に濃い拡散シートを配置すると従来と同じに光利用効率が下がってしまうという問題がある。
【００１５】
【特許文献１】特開２００２−１８９２３０
【発明の開示】
【発明が解決しようとする課題】
【００１６】
解決しようとする課題は、表裏一体型バックライトにおいては面内の照明光出力が不均一になってしまうという点であり、それを避けようとすると照明光の光利用効率が低下してしまうという問題である。
【課題を解決するための手段】
【００１７】
本発明の表裏一体型バックライトは、１枚の導光板に入射された光によって両面に置かれた第１と第２の液晶表示パネルの双方を照明し、該バックライトの前記第１の液晶表示パネル側に偏光選択性シートを設け、前記第２の液晶表示パネル側に拡散シートを設け、該偏光選択性シートもしくは拡散シートの外側に光吸収シートを設けたことを特徴とする。
【００１８】
また本発明の表裏一体型バックライトは、前記偏光選択性シートと前記導光板との間に輝度上昇フィルムを配置したことを特徴とする。
【００１９】
また本発明の表裏一体型バックライトは、前記偏光選択性シートと前記液晶表示パネルとの間に輝度上昇フィルムを配置したことを特徴とする。
【００２０】
また本発明の表裏一体型バックライトは、前記第１と第２の液晶表示パネルの表示部は表示面積が異なり、前記光吸収シートは表示面積が小さい液晶表示パネル側に設けられ、該光吸収シートに該表示面積が小さい液晶表示パネルの表示部に対応した開口部が設けられていることを特徴とする。
【００２１】
また本発明の表裏一体型バックライトは、前記導光板と前記光吸収シートとの間に、前記光吸収シートの開口部とほぼ同等の大きさの輝度上昇フィルムを配置したことを特徴とする。
【００２２】
また本発明の表裏一体型バックライトは、前記輝度上昇フィルムが微少光学エレメントが複数配列されたシートであることを特徴とする。
【００２３】
また本発明の表裏一体型バックライトは、前記光学エレメントが微少プリズムが複数配置されたシートであることを特徴とする
【００２４】
また本発明の表裏一体型バックライトは、前記光吸収シートと前記液晶パネルとの間に、前記光吸収シートの開口部とほぼ同等の大きさの輝度上昇フィルムを配置したことを特徴とする。
【００２５】
また本発明の表裏一体型バックライトは、１枚の導光板に入射された光によって両面に置かれた第１と第２の液晶表示パネルの表示部は表示面積が異なる液晶表示パネルの双方を照明する表裏一体型バックライトにおいて、該バックライトの前記第１、第２の液晶表示パネル側に少なくとも前記１枚の導光板と同程度の大きさの偏光選択性シートを設け、該偏光選択性シートより内側の前記導光板側で、前記第１と第２の液晶表示パネルの少なくとも一方に拡散シートを設け、該偏光選択性シートの外側に光吸収シートを設けたことを特徴とする。
【００２６】
また本発明の表裏一体型バックライトは、前記両偏光選択性シートと前記導光板との間の少なくとも一方に輝度上昇フィルムを配置したことを特徴とする。
【００２７】
また本発明の表裏一体型バックライトは、前記両偏光選択性シートと前記第１と第２の液晶表示パネルとの間の少なくとも一方に輝度上昇フィルムを配置したことを特徴とする。
【００２８】
また本発明の表裏一体型バックライトは、前記第１と第２の液晶表示パネルの表示部は表示面積が異なり、前記光吸収シートは表示面積が小さい液晶表示パネル側に設けられ、該光吸収シートに該表示面積が小さい液晶表示パネルの表示部に対応した開口部が設けられていることを特徴とする。
【発明の効果】
【００２９】
本発明によれば輝度ムラがなくかつ光利用効率の高い表裏一体型バックライトを実現出来る。
【発明を実施するための最良の形態】
【００３０】
１枚の導光板に入射された光によって両面に置かれた第１と第２の液晶表示パネルの双方を照明する表裏一体型のバックライトにおいて、該バックライトの前記第１の液晶表示パネル側に偏光選択性シートを設け、前記第２の液晶表示パネル側に拡散シートを設け、該偏光選択性シートもしくは拡散シートの外側に光吸収シートを設けた。
さらに、前記第１と第２の液晶表示パネルの表示部は表示面積が異なり、前記光吸収シートは表示面積が小さい液晶表示パネル側に設けられ、該光吸収シートに該表示面積が小さい液晶表示パネルの表示部に対応した開口部を設けた。
【実施例１】
【００３１】
図１（ａ）、（ｂ）は本発明による表裏一体型バックライトの第１の実施例を示す図である。
図１（ａ）において、導光板１０の一端には例えばＬＥＤからなる光源１２が配置され、導光板１０の下方には２枚の輝度上昇フィルム１８と、偏光選択性シート２０とが図示のように配置され、表示面積の大きな液晶表示パネル２４に面している。
導光板１０の上方には拡散シート１４と、２枚の輝度上昇フィルム１６と、開口部２３を有する光吸収シート２２とが図示のように配置され、表示面積の小さな液晶表示パネル２６に光吸収シート２２の開口部２３が面している。
【００３２】
光吸収シート２２の開口部２３は液晶表示パネル２６の表示部と同程度の面積を有している。
２枚の輝度上昇フィルム群１８と１６とはそれぞれのフィルム上に微少光学エレメントが複数配列されており、具体的には微少な直線上のプリズムが複数形成されており、輝度上昇フィルム群１８と１６とはそれぞれ該直線上のプリズムが直交する２枚の輝度上昇フィルムによって構成されている。このような輝度上昇フィルムは例えば住友スリーエム社から輝度上昇フィルムのＢＥＦシリーズ、ＲＢＥＦシリーズ、ウェーブフィルムシリーズとして供給されている。
ここでは光源１２、導光板１０、輝度上昇フィルム１８、偏光選択性シート２０、拡散シート１４、輝度上昇フィルム１６、光吸収シート２２が表裏一体型バックライトを形成している。
【００３３】
光源１２から出射された光は導光板１０に導かれて導光板１０の上方及び下方へ出射される光となる。導光板１０の上方に出射された光は拡散シート１４で拡散されて均一化された後２枚の輝度上昇フィルム１６によって液晶表示パネル２６にほぼ直交する光となる。該光のうち光吸収シート２２の開口部を通過した光は液晶表示パネル２６を照明し、他の光は光吸収シート２２で吸収される。すなわち図８の８０で示したような反射光は存在しないため液晶パネル２４上に輝度ムラを生じさせることはない。
したがって拡散シート１４を輝度ムラを解消するために濃いものにして光利用効率を下げる必要もない。
【００３４】
導光板１０の下方に出射された光は２枚の輝度上昇フィルム１８によって液晶表示パネル２４にほぼ直交する光となる。該光は偏光選択性シート２０に入射され、以下図７（ｂ）で説明したようにＰ波もしくはＳ波のみが透過し、Ｓ波もしくはＰ波のみが反射されて輝度上昇フィルム１８を透過し導光板１０に戻される。以下導光板内で戻された光がリサイクルされて再度出射される。
液晶表示パネル２４の図示していない導光板側の偏光板が吸収する偏光のタイプと、偏光選択性シート２０が反射する偏光のタイプとを一致させておけば、液晶表示パネルの下側偏光板における光吸収がなくなるため、偏光選択性シート２０を透過した光はほぼすべて液晶表示パネル２４の照明に寄与し光利用効率が大幅に上昇する。
光吸収シート２２としては例えば反射のない黒色のシートならば十分機能する。
また図８のようにホルダー４０のような部材を用いる場合は外部材の内側を黒色塗装して黒色層を形成し、該黒色層を光吸収シートとすることも可能である。
さらに必要に応じて半吸収タイプのシートやハーフミラーを用いることも可能である。
【００３５】
また本実施例においては表示面積の小さい液晶表示パネル２６側に拡散シート１４を、表示面積の大きい液晶表示パネル２４側に偏光選択性シート２０を配置したが、図１（ｂ）に示すように、この配置を逆にしても問題はない。すなわち図示のように、導光板１０の上方に２枚の輝度上昇フィルム１８と、偏光選択性シート２０と、光吸収シート２２とを順に表示面積の小さな液晶表示パネル２６に光吸収シート２２の開口部２３が面するように配置し、導光板１０の下方に拡散シート１４と、２枚の輝度上昇フィルム１６とを表示面積の大きな液晶表示パネル２４に面するよう配置しても良い。
偏光選択性シート側は偏光選択性シートを透過した光が直接液晶表示パネルに入射するが、逆側は拡散シート及び輝度上昇フィルムを通過するため偏光面が崩れる。そのため偏光選択性シートを設けた側の液晶表示パネルが明るくなる傾向があるため、明るさがより要求される液晶表示パネル側に偏光選択性シートを配置することが好ましい。
【００３６】
このように本発明の表裏一体型バックライトは、偏光選択性シートを１枚用いるだけで構成出来るため安価化が可能であり、かつ光吸収シートを用いたため輝度ムラが解消出来るという効果がある。
【実施例２】
【００３７】
図２（ａ），（ｂ）は本発明による表裏一体型バックライトの第２の実施例を示す図で、輝度上昇度の高い輝度上昇フィルムを導光板の両面に配置した例である。
図２（ａ）において、導光板１０の一端には例えばＬＥＤからなる光源１２が配置され、導光板１０の下方には１枚の輝度上昇フィルム３０と、必要に応じて用いられる拡散シート１５と、偏光選択性シート２０とが図示のように配置され、表示面積の大きな液晶表示パネル２４に面している。
導光板１０の上方には１枚の輝度上昇フィルム２８と、必要に応じて用いられる拡散シート１５と、偏光選択性シート３２と、開口部２３を有する光吸収シート２２が図示のように配置され、表示面積の小さな液晶表示パネル２６に光吸収シート２２の開口部２３で面している。
【００３８】
光吸収シート２２の開口部２３は、図１の場合と同様に、液晶表示パネル２６の表示部と同程度の面積を有している。
ここでは光源１２、導光板１０、輝度上昇フィルム２８、３０，偏光選択性シート２０、３２，２枚の拡散シート１５、光吸収シート２２が表裏一体型バックライトを形成している。
本実施例で用いた輝度上昇フィルムは例えば三菱レイヨン社からダイヤアートＹタイプとして供給されている。
【００３９】
光源１２から出射された光は導光板１０に導かれて導光板１０の上方及び下方へ出射される光となる。
導光板１０の下方に出射された光は輝度上昇フィルム３０によって液晶表示パネル２４にほぼ直交する光となる。拡散シート１５は表示状況の必要に応じて設けられるもので、ここで前記液晶表示パネル２４にほぼ直交する光は拡散されて均一化される。該光は偏光選択性シート２０に入射され、以下図７（ｂ）で説明したようにＰ波もしくはＳ波のみが透過し、Ｓ波もしくはＰ波のみが反射されて拡散シート１５，輝度上昇フィルム３０を透過し導光板１０に戻される。以下導光板内で戻された光がリサイクルされて再度出射される。
液晶表示パネル２４の図示していない導光板側の偏光板が吸収する偏光のタイプと、偏光選択性シート２０が反射する偏光のタイプとを一致させておけば、液晶表示パネルの下側偏光板における光吸収がなくなるため、偏光選択性シート２０を透過した光はほぼすべて液晶表示パネル２４の照明に寄与し光利用効率が大幅に上昇する。
【００４０】
導光板１０の上方に出射された光は同様にして偏光選択性シート３２を透過するかもしくは反射されるが、該透過した光のうち光吸収シート２２の開口部を通過した光は液晶表示パネル２６を照明し、他の光は光吸収シート２２で吸収される。すなわち図８の８０で示したような反射光は存在しないため液晶パネル２４上に輝度ムラを生じさせることはない。
したがって拡散シート１５を輝度ムラを解消するために濃いものにして光利用効率を下げる必要もない。
【００４１】
ここで本実施例では輝度上昇度の高い輝度上昇フィルムを用いており、この場合導光板から液晶表示パネルに向かって順に輝度上昇フィルム、拡散シートの順に配置することが望ましい。しかし実施例１で用いたような通常の輝度上昇フィルムの場合は導光板から液晶表示パネルに向かって順に拡散シート、２枚の輝度上昇フィルムの順に配置することが望ましい。
本実施例を通じて導光板から液晶表示パネルに向かって順に輝度上昇度の高い輝度上昇フィルム、拡散シートの順に配置されたシート群と、導光板から液晶表示パネルに向かって順に拡散シート、通常使われる２枚の輝度上昇フィルムの順に配置されたシート群とは置き換えが可能である。
また図２（ａ）においては拡散シート１５を導光板１０の両面に配置した例を示したがが、導光板１０と偏光選択性シート２０，３２との間の少なくとも一方に配置するのみでも大きな効果を生じる。
さらに図２（ａ）においては輝度上昇フィルムを導光板１０の両面に配置した例を示したが、導光板１０と偏光選択性シート２０，３２との間の少なくとも一方に配置するのみでも大きな効果を生じる。
【００４２】
また図２（ｂ）は本実施例の別の態様で、導光板１０の下方には偏光選択性シート２０と、１枚の輝度上昇フィルム３０と、必要に応じて用いられる拡散シート１５とが図示のように順に配置され、表示面積の大きな液晶表示パネル２４に面している。
導光板１０の上方には偏光選択性シート３２と、１枚の輝度上昇フィルム２８と、必要に応じて用いられる拡散シート１５と、開口部２３を有する光吸収シート２２が図示のように配置され、表示面積の小さな液晶表示パネル２６に光吸収シート２２の開口部２３で面している。
このように偏光選択性シート２０と、輝度上昇フィルムと拡散シート１５とからなるシート群との位置関係を逆転させても大きな効果がある。
さらに図２（ｂ）においては輝度上昇フィルムを導光板１０の両面に配置した例を示したが、偏光選択性シート２０，３２と液晶表示パネル２４，２６との間の少なくとも一方に配置するのみでも大きな効果を生じる。
【００４３】
このように導光板１０の両側に偏光選択性シートを配置すればより光利用効率を上昇させることが出来る。また光吸収シート２２を設けているため輝度ムラを生じる問題はない。
なお図２で設けた拡散シート１５は、必要に応じて導光板１０の両側に設けても、一方に設けても、さらには設けなくとも良い。
【実施例３】
【００４４】
図３は本発明による表裏一体型バックライトの第３の実施例を示す図で、図１に示した第１の実施例とは偏光選択性シートと輝度上昇フィルムの位置関係を逆転させた例である。
図３においては図１における導光板１０下方の偏光選択性シート２０と輝度上昇フィルム１８との位置が入れ替わっている。
このように構成することにより導光板１０の下方に出射された光は偏光選択性シート２０に入射され、以下図７（ｂ）で説明したようにＰ波もしくはＳ波のみが透過し、Ｓ波もしくはＰ波のみが反射されて導光板１０に戻される。以下導光板内で戻された光がリサイクルされて再度出射される。偏光選択性シート２０を透過したＰ波もしくはＳ波は２枚の輝度上昇フィルム１８によって液晶表示パネル２４にほぼ直交する光となって液晶表示パネル２４を照明する。液晶表示パネル２４の図示していない導光板側の偏光板が吸収する偏光のタイプと、偏光選択性シート２０が反射する偏光のタイプとを一致させておけば、液晶表示パネルの下側偏光板における光吸収がなくなるため、偏光選択性シート２０を透過した光はほぼすべて液晶表示パネル２４の照明に寄与し光利用効率が大幅に上昇する。
【００４５】
このように偏光選択性シートと輝度上昇フィルムの位置関係を逆転させても、ほぼ図１の第１の実施例と同様の効果を生じることが出来る。
また本実施例においては表示面積の小さい液晶表示パネル２６側に拡散シート１４を、表示面積の大きい液晶表示パネル２４側に偏光選択性シート２０を配置したが、この配置を逆にしても問題はないことも第１の実施例と同様である。
【実施例４】
【００４６】
図４は本発明による表裏一体型バックライトの第４の実施例を示す図で、輝度上昇フィルムとしては第２の実施例と同じく輝度上昇度の高いものを用いており、さらに実施例１〜３とは偏光選択性シートと、輝度上昇フィルムと、拡散シートの位置関係を異ならせた例を示している。
図４においては導光板１０の下方に偏光選択性シート２０、１枚の輝度上昇フィルム３０を図示のように順に配置し、導光板１０の上方に拡散シート１４、１枚の輝度上昇フィルム２８を図示のように順に配置し、さらに上記それぞれ２枚のシートと液晶表示パネル２４，２６との間に必要に応じて用いる上拡散シート１５をそれぞれの面に配置している。光吸収シート２２は図示のように表示面積の小さな液晶表示パネル２６に光吸収シート２２の開口部２３が対面するよう配置されている。
【００４７】
なお図４で設けた拡散シート１５は、図２の場合と同様、必要に応じて導光板１０の両側に設けても、一方に設けても、さらには設けなくとも良い。この選択は輝度ムラと液晶表示パネルの輝度を考慮して行えばよい。
このように各シートの位置関係を逆転させても、ほぼ第１〜第３実施例と同様の効果を生じることが出来る。
【実施例５】
【００４８】
図５は本発明による表裏一体型バックライトの第５の実施例を示す図で、表示面積の小さい液晶表示パネル側の輝度上昇フィルムを小さくした例である。
図５は図１に示した第１の実施例を変形して作図したもので、図１ではほぼ導光板の寸法と等しい輝度上昇フィルム１６を用いていたのに対し、本実施例では光吸収シートの開口部の寸法Ｌ３に応じて、表示面積の小さい液晶表示パネル２６側の輝度上昇フィルム１６Ｓの寸法をＬ２にと導光板１０の寸法Ｌ１よりも小さくしかつ輝度上昇フィルム１６Ｓを光吸収シート２２の外に、すなわち光吸収シート２２と表示面積の小さい液晶表示パネル２６との間に配置している。かつＬ２はＬ３と同じかＬ３よりも大きくというようにＬ２とＬ３を同程度の大きさとし、光吸収シート２２の開口部から出射される光には影響がないように大きさを設定している。
【００４９】
また、図５に示した第５の実施例は第１の実施例に適用した図を示したが、第２〜第４の実施例にも適用可能なことは明らかで、このような場合もやはり大幅な安価化が期待出来る。
なお輝度上昇フィルム１６Ｓの薄手方向端面からは多少光が漏れるが、図５の構成の場合は該漏れ光が光吸収シート２２の上面で吸収される吸収比率（吸収度）を調整することで表示面積が大きな液晶表示パネル２４に輝度ムラを生じさせることはない。
また図５で示した輝度上昇フィルム１６Ｓを拡散シート１４と光吸収シート２２の間に配置することも可能である。但しこのような構成をとる場合は前述した漏れ光の影響を取り除くため拡散シート１４の光拡散度を大きくする必要がある。
【実施例６】
【００５０】
図６は本発明による表裏一体型バックライトの第６の実施例を示す図で、ホルダーを設けて表裏一体型バックライト１１を収納した例を示している。
図６においては、導光板１０の下方に偏光選択性シート２０を、導光板１０の上方に拡散シート１４、光吸収シート２２を設けてホルダー４０に収納している。ホルダー４０の光吸収シート２２の開口部２３に対応する位置にはやはり開口部４１が設けられ、該開口部４１部に表示面積の小さい液晶表示パネル２６を配置出来るよう構成されている。表裏一体型バックライト１１の表裏双方に設けられた表示面積の小さい液晶表示パネル２６と表示面積の大きい液晶表示パネル２４とは、例えば両面テープのような粘着テープでホルダー４０に固定することが出来る。
このようにホルダーに表裏一体型バックライト１１を収納し液晶表示パネル２４，２６を該ホルダーに容易の固定出来るため、機器への表示装置の組み込みが容易となっている。
【００５１】
なお、図６においては表裏一体型バックライト１１として、光源１２、導光板１０、偏光選択性シート２０、拡散シート１４、光吸収シート２２のみが示されているが、光吸収シート２２と拡散シート１４との間４２，拡散シート１４と導光板１０の間４４、導光板１０と偏光選択性シート２０との間４６，偏光選択性シート２０と液晶表示パネル２５との間４８のいずれかに輝度上昇フィルム、付加的に用いる拡散シート等の光学シートを配置出来る。
また導光板を境にして偏光選択性シート２０と拡散シート１４とのは位置関係を逆にすることも勿論可能である。
【００５２】
以上説明したように、光吸収シートを用いるだけでは光利用効率が低く実用性に問題があるが、本発明においては偏光選択性シートと光吸収シートの双方を用いたことにより輝度ムラがなくかつ光利用効率の高い、実用的な表裏一体型のバックライトが実現出来た。
【図面の簡単な説明】
【００５３】
【図１】本発明による表裏一体型バックライトの第１の実施例を示す図である。
【図２】本発明による表裏一体型バックライトの第２の実施例を示す図である。
【図３】本発明による表裏一体型バックライトの第３の実施例を示す図である。
【図４】本発明による表裏一体型バックライトの第４の実施例を示す図である。
【図５】本発明による表裏一体型バックライトの第５の実施例を示す図である。
【図６】本発明による表裏一体型バックライトの第６の実施例を示す図である。
【図７】偏光選択性シートの説明をする図である。
【図８】従来技術で発生する輝度ムラを説明する図である。
【符号の説明】
【００５４】
１１  表裏一体型バックライト
１０  導光板
２０，２１，３２  偏光選択性シート
１４，１５，１４Ｓ  拡散シート
２２  光吸収シート
１６，１８，２８，３０，１６Ｓ  輝度上昇フィルム
２３  光吸収シートの開口部
２４，２６  液晶表示パネル
２４  表示面積が大きい液晶表示パネル
２６  表示面積が小さい液晶表示パネル
１６Ｓ  光吸収シートの開口部とほぼ同等の大きさの輝度上昇フィルム
【図１】
2006323315.tif 000003
【図２】
2006323315.tif 000004
【図３】
2006323315.tif 000005
【図４】
2006323315.tif 000006
【図５】
2006323315.tif 000007
【図６】
2006323315.tif 000008
【図７】
2006323315.tif 000009
【図８】
2006323315.tif 000010